(57)【要約】【課題】  コンテンツが切り取り可能なものであるか否かを、そのコンテンツ閲覧者がコンテンツ作成者に問い合わせなくても把握可能にすることによって、コンテンツ作成者及びコンテンツの切り取りを希望する者の便宜を図る。【解決手段】  ソース中に挿入されたカットタグによって囲まれた切り取り素材情報と、当該ソース中に含まれる当該切り取り素材情報に関する公開情報と、をサイト管理サーバ（３）が、取り出し可能に保存し、当該切り取り素材情報と公開情報とを含むスレッド情報を生成して閲覧可能に保存し、当該切り取り素材情報を閲覧可能に保存する。切り取り素材情報には、その切り取り素材情報に関する公開情報が付されているので、切り取り素材の利用者は、その公開情報を閲覧することによって、切り取り素材の利用可能性等について情報を得ることができる。【選択図】  図１
2006350472.tif 000002
【特許請求の範囲】
【請求項１】
通信回線を介して相互通信可能な、サイト管理サーバと、素材提供サーバと、入力端末と、により実行可能なコンテンツ生成方法であって、
入力端末においてソース中に挿入されたカットタグによって囲まれた切り取り素材情報と、当該ソース中に含まれる当該切り取り素材情報に関する公開情報と、を含む素材提供ページ情報を当該入力端末が素材提供サーバに送信し、素材提供サーバが受信した素材提供ページ情報を取り出し可能に保存し、
素材提供サーバが、当該保存してある素材提供ページ情報をサイト管理サーバに送信し、
サイト管理サーバが、素材提供サーバから受信した素材提供ページ情報に含まれていた切り取り素材情報と公開情報とを取り出し可能に保存し、当該切り取り素材情報と公開情報とを含むスレッド情報を生成して閲覧可能に保存し、当該切り取り素材情報を閲覧可能に保存する
ことを特徴とするコンテンツ生成方法。
【請求項２】
前記サイト管理サーバが、前記保存してある切り取り素材情報を取り出し、前記通信回線を介してアクセスしてきたユーザ端末に当該取り出した切り取り素材情報に基づいた切り取り素材を表示させるための表示ソースを生成する
ことを特徴とする請求項１記載のコンテンツ生成方法。
【請求項３】
前記サイト管理サーバが、前記切り取り素材情報ごとに当該切り取り素材情報に対するコメントを投稿可能な掲示板を生成する
ことを特徴とする請求項１又は２記載のコンテンツ生成方法。
【請求項４】
前記サイト管理サーバが、切り取り素材情報ごとに当該切り取り素材情報に対するトラックバック情報を投稿可能なトラックバック受信リストを生成する
ことを特徴とする請求項１乃至３何れか記載のコンテンツ生成方法。
【請求項５】
前記サイト管理サーバが、前記切り取り素材情報及び／又は公開情報に対するキーワード検索可能に構成してある
ことを特徴とする請求項１乃至４何れか記載のコンテンツ生成方法。
【請求項６】
前記サイト管理サーバが、前記切り取り素材情報及び／又は公開情報に対するアクセス解析可能に構成してある
ことを特徴とする請求項１乃至５何れか記載のコンテンツ生成方法。
【請求項７】
前記サイト管理サーバが、前記切り取り素材情報及び／又は公開情報に対するアンケートを投稿するためのアンケートフォームを生成する
ことを特徴とする請求項１乃至６何れか記載のコンテンツ生成方法。
【請求項８】
前記サイト管理サーバが、定期的に前記素材提供サーバにアクセスして前記切り取り素材情報及び／又は公開情報が更新されているか否かを確認し、更新されている場合には、当該更新された切り取り素材情報及び／又は公開情報を受信し、当該受信した切り取り素材情報及び／又は公開情報をもって既に保存されている切り取り素材情報及び／又は公開情報を更新する
ことを特徴とする請求項１乃至７記載のコンテンツ生成方法。
【請求項９】
前記サイト管理サーバが、前記切り取り素材情報に、ハイパーリンク情報を追記する
ことを特徴とする請求項１乃至８何れか記載のコンテンツ生成方法。
【請求項１０】
前記公開情報には、少なくとも当該切り取り素材情報に関する著作権情報が含まれる
ことを特徴とする請求項１乃至９何れか記載のコンテンツ生成方法。
【請求項１１】
通信回線を介して相互通信可能な、サイト管理サーバと、素材提供サーバと、入力端末と、を含めて構成してあるコンテンツ生成システムであって、
当該入力端末が、ソース中にカットタグを挿入可能、かつ、挿入されたカットタグによって囲まれた切り取り素材情報と、当該ソース中に含まれる当該切り取り素材情報に関する公開情報と、を含む素材提供ページ情報を素材提供サーバに送信可能に構成してあり、
当該素材提供サーバが、当該入力端末から受信した素材提供ページ情報を保存可能、かつ、当該保存してある素材提供ページ情報をサイト管理サーバに送信可能に構成してあり、
当該サイト管理サーバが、素材提供サーバから受信した素材提供ページ情報に含まれていた切り取り素材情報と公開情報とを取り出し可能に保存、当該切り取り素材情報と公開情報とを含むスレッド情報を生成して閲覧可能に保存、当該切り取り素材情報を閲覧可能に保存、できるように構成してある
ことを特徴とするコンテンツ生成システム。
【請求項１２】
前記サイト管理サーバが、前記保存してある切り取り素材情報を取り出し、前記通信回線を介してアクセスしてきたユーザ端末に当該取り出した切り取り素材情報に基づいた切り取り素材を表示させるための表示ソースを生成可能に構成してある
ことを特徴とする請求項１１記載のコンテンツ生成システム。
【発明の詳細な説明】
【技術分野】
【０００１】
本発明は、通信回線を介して相互通信可能な、サイト管理サーバと、素材提供サーバと、入力端末と、により実行可能なコンテンツ生成方法及びコンテンツ生成システムに関するものである。
【背景技術】
【０００２】
特許文献１には、通信回線を介して相互通信可能なサイト管理サーバと、モジュール提供サーバと、ユーザ端末と、によって構成されるコンテンツ表示システム（以下、「従来の表示システム」という）が開示されている。従来の表示システムにおいては、サイト管理サーバがモジュール提供サーバからモジュールを受信するにあたり、上記モジュールがモジュール提供サーバのＷｅｂページから切り取った所定のコンテンツであるように構成されている。
【特許文献１】特開２００３−２８１０３８号公報（段落０００９、００２３参照）
【発明の開示】
【発明が解決しようとする課題】
【０００３】
しかしながら、従来の表示システムでは、切り取られるコンテンツについて何ら情報が開示されず、特に、切り取られるコンテンツ作成者の意思は何ら考慮されていない。コンテンツを切り取り何らかのために利用しようとする者（以下、適宜「切り取り希望者」という）は、その切り取ろうとするコンテンツ（以下、適宜「切り取り希望コンテンツ」という）が切り取り可能かどうかをコンテンツ作成者に確認して同意を得ておく必要がある場合もあろう。そのような場面に遭遇した切り取り希望者は、その切り取り希望コンテンツの作成者を知っている場合はよいが、知らない場合はコンテンツ作成者を探さなくてはならない。探すには探したがコンテンツ作成者を発見できなかったとき、そのとき切り取り希望者は、その切り取り希望コンテンツの切り取りをあきらめなければならない。これは、時間の無駄である。コンテンツ作成者とコンタクトできないことが初めからわかっていれば、切り取り希望者はそのような無駄な時間を過ごさずに済んだはずである。コンテンツ作成者にしても、切り取り希望者から切り取り可能性についての問い合わせに対して、そのつど回答しなければならないとするなら、たいへん煩雑である。本発明が解決しようとする課題は、上述した問題点を解決することにある。すなわち、通信回線を介して公開するコンテンツについて、そのコンテンツが切り取り可能なものであるか否かを、そのコンテンツ閲覧者がコンテンツ作成者に問い合わせなくても把握可能にすることによって、コンテンツ作成者及びコンテンツの切り取りを希望する者の便宜を図ることにある。
【課題を解決するための手段】
【０００４】
上述した課題を解決するために発明者は、当初からコンテンツの切り取りに制限があることが誰にでもわかる状況にあれば、切り取り希望者が前述したように時間を無駄にしなくて済む、と考えた。他方、コンテンツ作成者にとっても、そのコンテンツを切り取らせることを希望する場合は、そのコンテンツにその旨のメッセージを持たせておけば、切り取り希望者の問い合わせに対していちいち許諾を与える必要がない。コンテンツにメッセージ機能を持たせれば、コンテンツ作成者にとっても都合がよい、という点が、発明者の結論である。そのような観点からなされた本発明は、次の構成を備えている。なお、何れかの請求項に係る発明の説明に当たって行う用語の定義等は、カテゴリーの相違に関わらず、その性質上可能な範囲において他の請求項に係る発明にも適用があるものとする。
【０００５】
（請求項１記載の発明の特徴）
請求項１記載の発明に係るコンテンツ生成方法（以下、適宜「請求項１の生成方法」という）は、通信回線を介して相互通信可能な、サイト管理サーバと、素材提供サーバと、入力端末と、により実行可能な方法である。具体的には、入力端末においてソース中に挿入されたカットタグによって囲まれた切り取り素材情報と、当該ソース中に含まれる当該切り取り素材情報に関する公開情報と、を含む素材提供ページ情報を当該入力端末が素材提供サーバに送信し、素材提供サーバが受信した素材提供ページ情報を取り出し可能に保存し、素材提供サーバが、当該保存してある素材提供ページ情報をサイト管理サーバに送信し、サイト管理サーバが、素材提供サーバから受信した素材提供ページ情報に含まれていた切り取り素材情報と公開情報とを取り出し可能に保存し、当該切り取り素材情報と公開情報とを含むスレッド情報を生成して閲覧可能に保存し、当該切り取り素材情報を閲覧可能に保存することを特徴とする。
【０００６】
請求項１の生成方法によれば、まず、通信回線を介して入力端末が送信した素材提供ページ情報を、これを受信した素材提供サーバが取り出し可能に保存する。素材提供ページ情報のソース中には、切り取り素材情報と公開情報とが含まれている。切り取り素材情報とは、ソース中において、たとえば、「<cut>」と「</cut>」のようなタグ言語によって囲まれた（挟まれた）領域に記入された記述（記載）のことをいう。このタグ言語のことを、本明細書では「カットタグ」と呼ぶ。つまり、ソース中に含まれる切り取り素材情報は、これらカットタグによって定義される。「切り取り素材情報」は、その内容について何ら制限はなく、コンテンツ作成者である素材提供者が提供しようとする素材（文字、図形、写真等）であればどのようなものでも構わない。「公開情報」は、素材提供者が閲覧者に提供する切り取り素材情報に関する情報である。公開情報は、たとえば、「<clip>」と「</clip>」のようなタグ言語（以下、「クリップタグ」という）によって囲まれた（挟まれた）領域に記入される。一般的には、切り取り素材情報に関する著作権情報（著作者名、メールアドレス、ＵＲＬ、著作権管理者名等）、切り取り素材情報の使用有効期限、トラックバックＵＲＬ、切り取り素材情報のカテゴリー（芸能、スポーツ、ニュース等）、検索キーワード等から選択された情報が、この公開情報に該当する。次は、切り取り素材情報と公開情報とを含む素材提供ページ情報が、素材提供サーバからサイト管理サーバに通信回線を介して送信される。サイト管理サーバは、受信した素材提供ページ情報が含む切り取り素材情報と公開情報を取り出し可能に保存する。併せて、切り取り素材情報と公開情報とを含むスレッド情報を生成して閲覧可能に保存するとともに、切り取り素材情報を閲覧可能に保存する。
【０００７】
（請求項２記載の発明の特徴）
請求項２記載の発明に係るコンテンツ生成方法（以下、適宜「請求項２の生成方法」という）は、請求項１の生成方法であって、前記サイト管理サーバが、前記保存してある切り取り素材情報を取り出し、前記通信回線を介してアクセスしてきたユーザ端末に当該取り出した切り取り素材情報に基づいた切り取り素材を表示させるための表示ソースを生成することを特徴とする。
【０００８】
請求項２の生成方法によれば、請求項１の生成方法の作用効果に加え、サイト管理サーバが、取り出した切り取り素材情報を基にして表示ソースを生成する。表示ソースは、通信回線を介してアクセスしてきたユーザ端末の要求に応じて、これを送信してユーザ端末に切り取り素材を表示させるためのものである。切り取り素材を表示したユーザ端末の使用者は、この切り取り素材情報を他のコンテンツ（たとえば、掲示板やブログ）に貼り付ける等することによって、この切り取り素材情報を利用することができる。切り取り素材を表示する（切り取り素材情報を受け取ることができる）ということは、切り取り素材情報がその作成者によって送信されたものであるから、その送信には切り取り素材情報の利用許諾が含まれているものと推測される。送信されたこと自体が、利用許諾を示す暗黙のメッセージなのである。
【０００９】
（請求項３記載の発明の特徴）
請求項３記載の発明に係るコンテンツ生成方法（以下、適宜「請求項３の生成方法」という）は、請求項１又は２の生成方法であって、前記サイト管理サーバが、前記切り取り素材情報ごとに当該切り取り素材情報に対するコメントを投稿可能な掲示板を生成することを特徴とする。
【００１０】
請求項３の生成方法によれば、請求項１又は２の生成方法の作用効果に加え、スレッド情報を表示したユーザ端末の使用者は、表示した切り取り素材情報に対するコメントを掲示板に投稿することができる。掲示板に投稿されたコメントは、切り取り素材情報の提供者を含めた第三者の閲覧に供されるので、素材提供者その他の第三者にとって切り取り素材情報に対する情報入手の絶好の機会となる。切り取り素材情報が複数あるのであれば、掲示板は切り取り素材情報ごとに生成される。
【００１１】
（請求項４記載の発明の特徴）
請求項４記載の発明に係るコンテンツ生成方法（以下、適宜「請求項４の生成方法」という）は、請求項１乃至３何れかの生成方法であって、前記サイト管理サーバが、切り取り素材情報ごとに当該切り取り素材情報に対するトラックバック情報を投稿可能なトラックバック受信リストを生成することを特徴とする。
【００１２】
請求項４の生成方法によれば、請求項１乃至３何れかの生成方法の作用効果に加え、トラックバック受信リストを表示したユーザ端末の使用者は、表示した切り取り素材情報に対するトラックバック情報をトラックバック受信リストに投稿することができる。トラックバック受信リストに投稿されたトラックバック情報は、切り取り素材情報の提供者を含めた第三者の閲覧に供されるので、素材提供者その他の第三者にとって切り取り素材情報に対する情報入手の絶好の機会となる。切り取り素材情報が複数あるのであれば、トラックバック受信リストは切り取り素材情報ごとに生成される。
【００１３】
（請求項５記載の発明の特徴）
請求項５記載の発明に係るコンテンツ生成方法（以下、適宜「請求項５の生成方法」という）は、請求項１乃至４何れかの生成方法であって、前記サイト管理サーバが、前記切り取り素材情報及び／又は公開情報に対するキーワード検索可能に構成してあることを特徴とする。
【００１４】
請求項５の生成方法によれば、請求項１乃至４何れか生成方法の作用効果に加え、サイト管理サーバにアクセスしたユーザ端末の使用者は、自己が求める切り取り素材情報及び公開情報、若しくは切り取り素材情報と公開情報の何れか一方を得るためにキーワードを用いた検索を行うことができる。
【００１５】
（請求項６記載の発明の特徴）
請求項６記載の発明に係るコンテンツ生成方法（以下、適宜「請求項６の生成方法」という）は、請求項１乃至５何れかの生成方法であって、前記サイト管理サーバが、前記切り取り素材情報及び／又は公開情報に対するアクセス解析可能に構成してあることを特徴とする。
【００１６】
請求項６の生成方法によれば、請求項１乃至５何れか生成方法の作用効果に加え、サイト管理サーバの使用者は、自己が求める切り取り素材情報及び公開情報、若しくは切り取り素材情報と公開情報の何れか一方に対するアクセス解析を行うことができる。アクセス解析することによって、サイト管理サーバの使用者は、そのアクセスに係る切り取り素材情報に対する関心の度合等を推し量り、これによって、アクセスする者の嗜好や動向を把握することが可能になる。
【００１７】
（請求項７記載の発明の特徴）
請求項７記載の発明に係るコンテンツ生成方法（以下、適宜「請求項７の生成方法」という）は、請求項１乃至６何れかの生成方法であって、前記サイト管理サーバが、前記切り取り素材情報及び／又は公開情報に対するアンケートを投稿するためのアンケートフォームを生成することを特徴とする。
【００１８】
請求項７の生成方法によれば、請求項１乃至６何れかの生成方法の作用効果に加え、サイト管理サーバの使用者は、自己が求める切り取り素材情報及び公開情報、若しくは切り取り素材情報と公開情報の何れか一方に対するアンケート収集を行うことができる。収集したアンケートを解析することによって、サイト管理サーバの使用者は、そのアンケートに係る切り取り素材情報に対する関心の度合等を推し量り、これによって、切り取り素材情報及び／又は公開情報にアクセスする者の嗜好や動向を把握することが可能になる。
【００１９】
（請求項８記載の発明の特徴）
請求項８記載の発明に係るコンテンツ生成方法（以下、適宜「請求項８の生成方法」という）は、請求項１乃至７何れかの生成方法であって、前記サイト管理サーバが、定期的に前記素材提供サーバにアクセスして前記切り取り素材情報及び／又は公開情報が更新されているか否かを確認し、更新されている場合には、当該更新された切り取り素材情報及び／又は公開情報を受信し、当該受信した切り取り素材情報及び／又は公開情報をもって既に保存されている切り取り素材情報及び／又は公開情報を更新することを特徴とする。
【００２０】
請求項８の生成方法によれば、請求項１乃至７何れかの生成方法の作用効果に加え、素材提供サーバに保存されている切り取り素材情報及び／又は公開情報について定期的に更新の有無が確認され、更新されていれば、サイト管理サーバに保存されている切り取り素材情報及び／又は公開情報がその更新に基づいて更新される。したがって、サイト管理サーバに保存されている切り取り素材情報及び／又は公開情報が、最新情報と同じか、違っていても短期間のうちに更新されるので、閲覧するものにとって有意義な情報となる。
【００２１】
（請求項９記載の発明の特徴）
請求項９記載の発明に係るコンテンツ生成方法（以下、適宜「請求項９の生成方法」という）は、請求項１乃至８何れかの生成方法であって、前記サイト管理サーバが、前記切り取り素材情報に、ハイパーリンク情報を追記することを特徴とする。
【００２２】
請求項９の生成方法によれば、請求項１乃至８何れかの生成方法の作用効果に加え、パイパーリンク情報（又は、リンク情報）の追記によって切り取り素材情報の利用価値をさらに高めることができる。つまり、リンク先のサイトを閲覧することによって、閲覧する者は、切り取り素材情報のみならず、これに関連するリンク先情報を併せて入手できるので、閲覧する者にとっての切り取り素材情報をより使い勝手のよいものとすることができる。
【００２３】
（請求項１０記載の発明の特徴）
請求項１０記載の発明に係るコンテンツ生成方法（以下、適宜「請求項１０の生成方法」という）は、請求項１乃至９何れかの生成方法であって、前記公開情報には、少なくとも当該切り取り素材情報に関する著作権情報が含まれることを特徴とする。
【００２４】
請求項１０の生成方法によれば、請求項１乃至９何れかの生成方法の作用効果に加え、切り取りが可能であるという切り取り素材の性質上、その切り取り素材は、その切り取り素材提供者のその切り取りや、切り取った素材の他のコンテンツへの貼り付け等を、暗黙のうちに了解していると推測されるが、切り取り素材を切り取ろうとする者は、その切り取りについて問題がないことを確認することを望むのが通常である。問題のあるなしを確認するためには、その切り取り素材に関する著作権情報が最も基本であり、かつ、重要であるから、公開情報に著作権情報を含ませておけば、切り取りを望む者の要求に的確に応じることができる。
【００２５】
（請求項１１記載の発明の特徴）
請求項１１記載の発明に係るコンテンツ生成システム（以下、適宜「請求項１１のシステム」という）は、通信回線を介して相互通信可能な、サイト管理サーバと、素材提供サーバと、入力端末と、を含めて構成してあるシステムである。ここで、当該入力端末が、ソース中にカットタグを挿入可能、かつ、挿入されたカットタグによって囲まれた切り取り素材情報と、当該ソース中に含まれる当該切り取り素材情報に関する公開情報と、を含む素材提供ページ情報を素材提供サーバに送信可能に構成してあり、当該素材提供サーバが、当該入力端末から受信した素材提供ページ情報を保存可能、かつ、当該保存してある素材提供ページ情報をサイト管理サーバに送信可能に構成してある。さらに、当該サイト管理サーバが、素材提供サーバから受信した素材提供ページ情報に含まれていた切り取り素材情報と公開情報とを取り出し可能に保存、当該切り取り素材情報と公開情報とを含むスレッド情報を生成して閲覧可能に保存、当該切り取り素材情報を閲覧可能に保存、できるように構成してある。
【００２６】
請求項１１のシステムによれば、まず、通信回線を介して入力端末が送信した素材提供ページ情報を、これを受信した素材提供サーバが取り出し可能に保存する。素材提供ページ情報のソース中には、切り取り素材情報と公開情報とが含まれている。次は、切り取り素材情報と公開情報とを含む素材提供ページ情報が、素材提供サーバからサイト管理サーバに通信回線を介して送信される。サイト管理サーバは、受信した素材提供ページ情報が含む切り取り素材情報と公開情報を取り出し可能に保存する。併せて、切り取り素材情報と公開情報とを含むスレッド情報を生成して閲覧可能に保存するとともに、切り取り素材情報を閲覧可能に保存する。
【００２７】
（請求項１２記載の発明の特徴）
請求項１２記載の発明に係るコンテンツ生成システム（以下、適宜「請求項１２のシステム」という）は、請求項１１のシステムであって、前記サイト管理サーバが、前記保存してある切り取り素材情報を取り出し、前記通信回線を介してアクセスしてきたユーザ端末に当該取り出した切り取り素材情報に基づいた切り取り素材を表示させるための表示ソースを生成可能に構成してあることを特徴とする。
【００２８】
請求項１２のシステムによれば、請求項１１の生成方法の作用効果に加え、サイト管理サーバが、取り出した切り取り素材情報を基にして表示ソースを生成する。表示ソースは、通信回線を介してアクセスしてきたユーザ端末の要求に応じて、これを送信してユーザ端末に切り取り素材を表示させるためのものである。切り取り素材を表示したユーザ端末の使用者は、この切り取り素材を他のコンテンツ（たとえば、掲示板やブログ）に貼り付ける等することによって、この切り取り素材情報を利用することができる。切り取り素材を表示する（切り取り素材情報を受け取ることができる）ということは、切り取り素材情報がその作成者によって送信されたものであるから、その送信には切り取り素材情報の利用許諾が含まれているものと推測される。送信されたこと自体が、利用許諾を示す暗黙のメッセージなのである。
【発明の効果】
【００２９】
本発明によれば、通信回線を介して公開するコンテンツ（切り取り素材情報）について、その切り取り素材情報に関する公開情報を併せて公開することにより、その切り取り素材情報が切り取り可能なものであるか否かを、切り取り希望者（コンテンツ閲覧者）に知らせることができる。そのコンテンツ閲覧者がコンテンツ作成者に問い合わせなくても、切り取りの可否を把握可能にすることによって、コンテンツ作成者及びコンテンツの切り取りを希望する者の便宜を図ることができる。
【発明を実施するための最良の形態】
【００３０】
各図を参照しながら本発明の実施形態について説明する。図１は、コンテンツ生成システムの全体構造を示す図である。図２は、コンテンツ生成システムの構造を示す図である。図３及び４は、システムの動作手順を示すフローチャートである。図５は、素材提供ページの一例を示す図である。図６は、入力端末から入力される表示ソースの一例を示す図である。図７は、カットタグを挿入した表示ソースの一例を示す図である。図８は、クリップタグを挿入した表示ソースの一例を示す図である。図９及び１０は、図３に示すフローチャートを変形したフローチャートである。図１１は、ｉｆｒａｍｅソースの記入例を示す図である。図１２は、ｉｆｒａｍｅ内に表示した切り取り素材を示す図である。図１３は、トラックバック受信リストの表示例を示す図である。図１４は、掲示板の表示例を示す図である。図１５は、アンケートフォームの表示例を示す図である。
【００３１】
（コンテンツ生成システムの全体構造）
図１を参照しながら説明する。コンテンツ生成システム１（以下、適宜「システム１」という）は、通信回線１０１を介して相互通信可能な、サイト管理サーバ３と、素材提供サーバ５と、入力端末７と、を含めて概略構成してある。また、システム１と相互通信可能な複数のユーザ端末９が、通信回線１０１に接続してある。通信回線１０１は、通信回線１０１には、電話回線やＬＡＮ（Ｌｏｃａｌ  Ａｒｅａ  Ｎｅｔｗｏｒｋ）等の回線を適宜採用することもできるが、本実施形態では汎用性を考慮してインターネットを採用した。したがって、サイト管理サーバ３及び素材提供サーバ５はＷＷＷ（Ｗｏｒｌｄ  Ｗｉｄｅ  Ｗｅｂ）サーバとして、入力端末７はクライアントとして、それぞれ機能するように構成してある。本発明に係るコンテンツ生成方法は、上記したシステム１によって実行可能になっている。
【００３２】
（サイト管理サーバの構造）
図２を参照する。サイト管理サーバ３は、汎用コンピュータ（サーバ、ワークステーション等）により基本構成した情報処理装置であり、切り取り素材情報を有するサイト運営者によって運営される。サイト管理サーバ３は、送受信部１９、記憶部２１、表示ソース生成部２３、掲示板生成部２５、トラックバック受信リスト生成部２７、アクセス解析部２９、アンケートフォーム生成部３１、検索部３３、更新部３５、リンク部３７及びスレッド情報生成部３９を備えている。送受信部１９は、通信回線１０１を介して素材提供サーバ５等と相互通信を行う機能を有している。記憶部２１は、後述する切り取り素材情報を保存する素材ＤＢ２１ａ及び公開情報を保存する情報ＤＢ２１ｂと、を備え、切り取り素材情報及び公開情報を取り出し可能に保存する機能を有している。また、保存してある切り取り情報及び公開情報を取り出し、それらを含むスレッド情報をスレッドＤＢ２１ｃに取り出し可能に保存する機能を、さらに、切り取り素材情報を素材ＤＢ２１ａに閲覧可能に保存する機能をも有している。表示ソース生成部２３は、通信回線１０１を介してアクセスしてきたユーザ端末９に切り取り素材情報を、又は、切り取り素材情報と公開情報を、表示させる機能を有している。掲示板生成部２５は、切り取り素材情報ごとに、その切り取り素材情報に対するコメントを掲載可能とする機能を有している。トラックバック受信リスト生成部２７は、切り取り素材情報ごとに、その切り取り素材情報に対するトラックバック情報を投稿可能とする機能を有している。アクセス解析部２９は、切り取り素材情報若しくは公開情報に対するアクセス、又は、切り取り素材情報と公開情報の双方に対するアクセスのアクセス回数等を解析して切り取り素材情報を提供する者等の利用に供する機能を有している。アンケートフォーム生成部３１は、切り取り素材情報若しくは公開情報に対するアンケート、又は、切り取り素材情報と公開情報の双方に対するアンケートを投稿するためのアンケートフォームを生成する機能を有している。
【００３３】
検索部３３は、切り取り素材情報若しくは公開情報に対して、又は、切り取り素材情報と公開情報の双方に対して、少なくともユーザ端末９からキーワード検索させるための機能を有している。更新部３５は、定期的に素材提供サーバ５に送受信部１９を介してアクセスして切り取り素材情報及び／又は公開情報が更新されているか否かを確認し、更新されている場合には、当該更新された切り取り素材情報及び／又は公開情報を受信し、当該受信した切り取り素材情報及び／又は公開情報をもって既に記憶部２１（素材ＤＢ２１ａ、情報ＤＢ２１ｂ）に保存されている切り取り素材情報及び／又は公開情報を更新する機能を有している。リンク部３７は、サイト管理サーバ３が、切り取り素材情報に、ハイパーリンク情報を追記する機能を有している。スレッド情報生成部３９は、記憶部２１に保存してある切り取り素材情報及び公開情報を取り出し、当該取り出した切り取り素材情報及び公開情報を含むスレッド情報を生成し、当該生成したスレッド情報を前記通信回線を介して通信回線１０１を介してアクセスしてきたユーザ端末９に表示させる機能を有している。
【００３４】
（素材提供サーバの構造）
引き続き、図２を参照する。素材提供サーバ５は、汎用コンピュータ（サーバ、ワークステーション等）により基本構成した情報処理装置であり、切り取り素材情報を提供する者によって運営される。素材提供サーバ５は、送受信部４１と記憶部４３と入力部４５とを備えている。送受信部４１は、入力端末７から通信回線１０１を介して送信されてきた素材提供ページ情報を受信する機能と、記憶部４３に保存してある素材提供ページ情報をサイト管理サーバ３に送信する機能とを有している。記憶部４３は、受信した上記素材提供ページ情報を取り出し可能に保存する機能を有している。入力部４５は、各種情報やコマンド等を入力させる機能を有している。
【００３５】
（入力端末の構造）
図２を参照する。入力端末７は、たとえば、ノート型パソコンのような汎用コンピュータにより構成してある。入力端末７は、送受信部５１、入力部５３、表示部５５及び素材提供ページ情報作成部５７を備えている。送受信部５１は、素材提供サーバ５に素材提供ページ情報を送信することを主たる機能とする。入力部５３は、切り取り素材情報のソースを、たとえば、「<cut>」「</cut>」のようなカットタグや、「<clip>」「</clip>」のようなクリップタグを含めて入力させる機能を有している。「<cut>」と「</cut>」によって囲まれた領域内にある記入が、切り取り素材情報となる。また、「<clip>」「</clip>」によって囲まれた領域内にある記入が、公開情報となる。表示部５５は、入力部５３から入力した切り取り素材情報や公開情報等を表示して入力端末７を操作する者に入力事項を確認させる機能を有している。
【００３６】
（ユーザ端末の構造）
図２を参照する。ユーザ端末９は、たとえば、ノート型パソコンのような汎用コンピュータにより構成してあり、送受信部６１、入力部６３、表示部６５を設けてある。送受信部５１は、素材提供サーバ５に素材提供ページ情報を送信することを主たる機能とする。送受信部６１は、通信回線１０１を介してサイト管理サーバ３が生成したスレッド情報の送信要求をしたり送信されたスレッド情報を受信したりする機能を有している。受信したスレッド情報は、表示部６５に表示される。入力部６３は、各種情報やコマンド等を入力させる機能を有している。
【００３７】
（コンテンツ生成システムの動作手順）
図３及び４を中心にしつつ、図５乃至８を参照しながら説明する。まず、入力端末７において、図５に示すような素材提供ページ情報を作成する（Ｓ１）。素材提供ページ１１１には、当該ページのアドレス１１５とともに枠で囲まれた切り取り素材１１３が表示されている。切り取り素材１１３の下欄には、「＊上記の素材は切り取り可能です。」の文字情報１１６が記載され、切り取り素材１１３が切り取り可能であることが示されている。文字情報１１６は、切り取り素材１１３に関する情報であって、切り取り素材１１３に関する公開情報の一部を構成する。図６は、素材提供ページ情報のソース記入例を示している。図６に示す切り取り素材情報領域には図７に例示する切り取り素材情報が、同図に示す公開情報領域には図８に例示する公開情報が、それぞれ記入される。本実施形態では、「<cut>」「</cut>」というカットタグによって囲まれた領域に記入された記述が切り取り素材情報であり、同様に「<clip>」「</clip>」というクリップタグによって囲まれた領域に記入された記述が公開情報である。つまり、切り取り素材情報及びこの切り取り素材情報に関連する公開情報を提供しようとする者は、入力端末７を用いて素材提供ページ情報のソース中に上記したカットタグやクリップタグを挿入し、これらのタグによって所望の記述を記入することによって、その提供を行うことになる。なお、図６乃至８において、「<property>」「</property>」は切り取り素材の各種プロパティ情報を、「<history>」「</history>」は切り取り素材の更新履歴を、「<enquete>」「</enquete>」はアンケート情報を、それぞれ記入するためのタグである。さらに、「<nocut>」「</nocut>」には切り取りを許容しない情報を記入するためのタグである（図７参照）。公開を許容しない旨を積極的に表示することによって、切り取り素材提供者の意思を明確にする働きがある。
【００３８】
図５に示す「切り取り素材」は、図形を主体としているが、図形以外の、たとえば、文字や写真やこれらを適宜組合せたものも切り取り素材に該当する。「公開情報」には、切り取り素材情報に関する著作権情報を含めることが好ましい。切り取りが可能であるという切り取り素材の性質上、その切り取り素材は、その切り取り素材提供者のその切り取りや、切り取りとった素材の他のコンテンツへの貼り付け等を、暗黙のうちに了解していると推測されるが、切り取り素材を切り取ろうとする者（ユーザー端末の使用者、素材利用者）は、その切り取りについて問題がないことを確認することを望むのが通常である。その切り取り素材の著作者名、メールアドレス、ＵＲＬ、著作権管理者名等の著作権情報を、公開情報に含めておけば、切り取り素材を切り取ろうとする者は安心して切り取ることができるからである。切り取り素材提供者と素材利用者の意思疎通が充分に図られることによって、切り取り素材の有効利用が促進され素材利用に関する無用の争いも未然に防止することができる。なお、切り取り素材情報の使用有効期限、トラックバックＵＲＬ、切り取り素材情報のカテゴリー（芸能、スポーツ、ニュース等）も公開情報として有効であろう。
【００３９】
ここで、図３に示すフローチャートに戻る。作成した素材提供ページ情報は素材提供サーバ５へ送信し（Ｓ３）、併せてサイト管理サーバ３へ素材提供ページ情報のＵＲＬを送信する（Ｓ５）。送信された素材提供ページ情報は素材提供サーバ５に受信され、素材提供サーバ５の記憶部４３に取り出し可能に保存される（Ｓ１１）。素材提供ページ情報のＵＲＬを受信したサイト管理サーバ３は、受信したＵＲＬにアクセスして当該ＵＲＬに係る素材提供ページ情報の送信を素材提供サーバ５に要求する（Ｓ２３）。要求を受けた素材提供サーバ５は、保存してある素材提供ページ情報を取り出して、これをサイト管理サーバ３に送信する（Ｓ１３）。送信された素材提供ページ情報を受信したサイト管理サーバ３は、切り取り素材情報と公開情報をそれぞれ素材ＤＢ２１ａと情報ＤＢ２１ｂに取り出し可能に保存する（Ｓ２５，Ｓ２６）。サイト管理サーバ３は、上記保存と併せて素材ＤＢ２１ａに切り取り素材情報を閲覧可能に保存するとともに（Ｓ２７）、切り取り素材情報と公開情報を含むスレッド情報を生成する（Ｓ２８）。Ｓ２６乃至Ｓ２８は、これらの実行手順に制限はない。これら総てのステップを同時に実行してもよいし、予め定めた順番で実行するようにしてもよい。
【００４０】
ここで、ユーザ端末９からスレッド情報の送信要求があったときは（Ｓ３３）、その要求に係る指定スレッド情報を要求してきたユーザ端末９にスレッド情報を送信する（Ｓ２９）。スレッド情報を受信したユーザ端末９は、これを表示部６５に表示する（Ｓ３５）。これにより、ユーザ端末９のユーザは、切り取り素材情報と公開情報を含むスレッド情報を目視によって閲覧可能となる。
【００４１】
図４に移り、説明を続ける。ここでは、Ｓ３５において切り取り素材情報と公開情報を含むスレッド情報を受信したユーザ端末９は、受信した切り取り素材情報を基に切り取り素材表示ソースを挿入したＷｅｂページ情報を作成して（Ｓ３７）、作成したＷｅｂページ情報を、システム１の外にあるＷｅｂサーバ１１に送信する（Ｓ３９）。Ｗｅｂページ情報を受信したＷｅｂサーバ１１は、このＷｅｂページ情報を保存するとともに（Ｓ４１）、送信要求してきたユーザ端末９´に送信する（Ｓ４３，Ｓ４５）。Ｗｅｂページ情報を受信（Ｓ４７）したユーザ端末９´は、サイト管理サーバ３に対して切り取り素材情報の送信要求を行う（Ｓ４９）。送信要求を受けたサイト管理サーバ３は、要求に係る切り取り素材情報を、送信要求してきたユーザ端末９´に送信し（Ｓ５１）、これを受信したユーザ端末９´は、切り取り素材情報が表示されたＷｅｂページを表示部６５´（図２参照）に表示する（Ｓ５３）。これによって、入力端末７によって提供された切り取り素材情報が、Ｗｅｂサーバ１１が提供するＷｅｂページ上に貼り付けられ利用される。
【００４２】
ここで、図３に示す動作手順と異なる動作手順を、図９に基づいて説明する。図９に示す動作手順が、図３に示す動作手順と異なるのは、後者が示すＳ５を前者で省略し、その代わりに後者には示していないＳ３１を前者に示している点である。この異なる点を除き、両者間に異なる動作手順はない。したがって、図３に示す動作手順と共通する動作手順については、図３で使用した符号と同じ符号を図９でも使用してある（後述する図１０についても同じ）。すなわち、両者の違いは、サイト管理サーバ３が素材提供ページ情報のＵＲＬを入手する経路が異なる点である。つまり、図３に示す動作手順によれば素材提供ページ情報のＵＲＬは入力端末７からサイト管理サーバ３へ送信されるが（Ｓ５）、図９に示す動作手順によれば同ＵＲＬはユーザ端末９から送信されるようになっている（Ｓ３１）。
【００４３】
次に、図３に示す動作手順と異なる動作手順を、図１０に基づいて説明する。図１０に示す動作手順が、図３に示す動作手順と異なるのは、後者が示すＳ５を前者で省略し、その代わりに後者には示していないＳ２１を前者に示している点である。この異なる点を除き、両者間に異なる動作手順はない。つまり、図３に示す動作手順におけるサイト管理サーバ３は入力端末７から素材提供ページ情報のＵＲＬを得るようになっていたが（Ｓ５）、図１０に示す動作手順においては、サイト管理サーバ３が通信回線（インターネット）１０１上に公開されている素材提供ページを検索することによって同素材提供ページ情報を得るようになっている（Ｓ２１）。
【００４４】
なお、本実施形態では、図６に示す表示ソースの中に、図１１に示すｉｆｒａｍｅ（インラインフレーム）表示ソースを記入（生成）してある。これは、サイト管理サーバ３が、記憶部２１の素材ＤＢ２１ａ（図２参照）に保存してある切り取り素材情報を取り出し、この取り出した切り取り素材情報に基づいて通信回線１０１を介してアクセスしてきたユーザ端末９（９´）の表示部６５（６５´）に表示させるための表示ソースである。図１２が示す画像は、ユーザ端末９（９´）がｉｆｒａｍｅ表示ソースに基づいて表示する切り取り素材である。
【００４５】
図１２が示す切り取り素材１１３は、素材提供ページ１１１へのリンク情報１１７、スレッド情報１１８、ＴｒａｃｋＢａｃｋ（トラックバック）情報１１９及び掲示板情報１２０を含み、これによって、ユーザ端末９（９´）の使用者は切り取り素材１１３に関する各種の公開情報を入手できるようになっている。すなわち、リンク情報１１７は当該切り取り素材１１３を提供する素材提供ページへのリンクを示し、このリンク情報１１７をクリックすることにより図５に示すような素材提供ページ１１１をユーザ端末９（９´）の表示部６５（６５´）に表示させられるようになっている。また、スレッド情報１１８は、これを同じくクリックすることによって表示部６５（６５´）に切り取り素材１１３を表示させられるようになっている。ＴｒａｃｋＢａｃｋ情報１１９も、これをクリックすれば、切り取り素材１１３に関するＴｒａｃｋＢａｃｋ情報（図１３参照）にアクセスできるようになっている。掲示板情報１２０は、図１４に示すような掲示板を表示させるためのリンク情報である。ユーザ端末９（９´）の使用者が切り取り素材１１３を入手するためには、図５に示す素材提供ページ１１１から切り取る方法と、素材提供ページ１１１を介さずに直接、サイト管理サーバ３から入手する方法とがある。切り取り素材の使用目的や使用者の好み等に応じて適宜選択するとよい。切り取り素材の入手するための経路を複数としたのは、できるだけ使用者の便宜に供することによって切り取り素材の有効利用を促進するためである。
【００４６】
なお、本実施形態におけるサイト管理サーバ３は、図１５に示すようなアンケートフォームを生成可能に構成してあり、切り取り素材及びそれに関する公開情報、又は、切り取り素材と公開情報の何れか一方を閲覧した者から、閲覧結果のアンケートを投稿できるようになっている。切り取り素材の提供者が閲覧者、すなわち、ユーザ端末９（９´）の使用者からの意見を聞き、切り取り素材のレベルアップや公開情報の修正等に反映できるようにするためである。
【図面の簡単な説明】
【００４７】
【図１】コンテンツ生成システムの全体構造を示す図である。
【図２】コンテンツ生成システムの構造を示す図である。
【図３】システムの動作手順を示すフローチャートである。
【図４】システムの動作手順を示すフローチャートである。
【図５】素材提供ページの一例を示す図である。
【図６】入力端末から入力される表示ソースの一例を示す図である。
【図７】カットタグを挿入した表示ソースの一例を示す図である。
【図８】クリップタグを挿入した表示ソースの一例を示す図である。
【図９】図３に示すフローチャートを変形したフローチャートである。
【図１０】図３に示すフローチャートを変形したフローチャートである。
【図１１】ｉｆｒａｍｅソースの記入例を示す図である。
【図１２】ｉｆｒａｍｅ内に表示した切り取り素材を示す図である。
【図１３】トラックバック受信リストの表示例を示す図である。
【図１４】掲示板の表示例を示す図である。
【図１５】アンケートフォームの表示例を示す図である。
【符号の説明】
【００４８】
１          コンテンツ生成システム
３          サイト管理サーバ
５          素材提供サーバ
７          入力端末
９，９´    ユーザ端末
１１          ｗｅｂサーバ
１９，４１，５１，６１    送受信部
２１，４３    記憶部
２１ａ        素材ＤＢ
２１ｂ        情報ＤＢ
２１ｃ        スレッドＤＢ
２３          表示ソース生成部
２５          掲示板生成部
２７          トラックバック受信リスト生成部
２９          アクセス解析部
３１          アンケートフォーム生成部
３３          検索部
３５          更新部
３７          リンク部
３９          スレッド情報生成部
４５，５３，６３      入力部
５５，６５，６５´    表示部
５７          素材提供ページ情報作成部
１０１          通信回線
１１１          素材提供ページ
１１３          切り取り素材
１１５          アドレス
１１６          文字情報
１１７          リンク情報
１１８          スレッド情報
１１９          トラックバック情報
１２０          掲示板情報
【図１】
2006350472.tif 000003
【図２】
2006350472.tif 000004
【図３】
2006350472.tif 000005
【図４】
2006350472.tif 000006
【図５】
2006350472.tif 000007
【図６】
2006350472.tif 000008
【図７】
2006350472.tif 000009
【図８】
2006350472.tif 000010
【図９】
2006350472.tif 000011
【図１０】
2006350472.tif 000012
【図１１】
2006350472.tif 000013
【図１２】
2006350472.tif 000014
【図１３】
2006350472.tif 000015
【図１４】
2006350472.tif 000016
【図１５】
2006350472.tif 000017